(57)【要約】【課題】顧客は１箇所で支払いを済ませることができ、且つデジタルデータの入力店およびデジタルデータの出力店のどちらにも、メリット（対価）が得られるデジタルデータの出力課金システムを提供する。【解決手段】顧客が持参したデジタルデータを入力し、送信可能なデジタルデータ入力装置（第１のラボ店１０）と、顧客が持参したデジタルデータを通信回線経由で受信し、該デジタルデータに対応した出力を行って顧客に引き渡すデジタルデータ出力装置（第２のラボ店２０）とを備えて成り、顧客が持参したデジタルデータの入力から出力に伴って発生する、顧客の支払いに関する情報を、デジタルデータ入力装置とデジタルデータ出力装置とで共有（共有情報記憶手段１５，２５）する。【選択図】　　図１
2004110642.tif 000002
【特許請求の範囲】
【請求項１】
顧客が持参したデジタルデータを入力し、送信可能なデジタルデータ入力装置と、
前記顧客が持参したデジタルデータを通信回線経由で受信し、該デジタルデータに対応した出力を行って前記顧客に引き渡すデジタルデータ出力装置とを備えて成り、
前記顧客が持参したデジタルデータの入力から出力までの行為に伴って発生する、前記顧客の支払いに関する情報を、前記デジタルデータ入力装置とデジタルデータ出力装置とで共有することを特徴とするデジタルデータの出力課金システム。
【請求項２】
請求項１記載のデジタルデータの出力課金システムにおいて、前記デジタルデータ入力装置とデジタルデータ出力装置とが共有した顧客の支払いに関する情報に基づき、前記デジタルデータ入力装置の管理者とデジタルデータ出力装置の管理者との間で、支払金額の配分を決定することを特徴とするデジタルデータの出力課金システム。
【請求項３】
請求項２記載のデジタルデータの出力課金システムにおいて、前記支払金額の配分の決定は、前記デジタルデータ入力装置の管理者およびデジタルデータ出力装置の管理者以外の、第三の管理者が行うことを特徴とするデジタルデータの出力課金システム。
【発明の詳細な説明】
【０００１】
【発明の属する技術分野】
本発明は、デジタルデータの出力課金システムに関し、特に、顧客は１箇所で支払いを済ませることができ、且つデジタルデータの入力店およびデジタルデータの出力店のどちらにも、メリット（対価）が得られるデジタルデータの出力課金システムに関する。
【０００２】
【従来の技術】
近年、デジタルカメラの普及が目覚しい。デジタルカメラは、ＣＣＤ（ＣｈａｒｇｅＣｏｕｐｌｅｄ　Ｄｅｖｉｃｅ）等の撮像素子で画像を撮影した後、画像処理を行い、その画像をＬＣＤ（Ｌｉｑｕｉｄ　Ｃｒｙｓｔａｌ　Ｄｉｓｐｌａｙ）等の表示装置で確認し、その確認後の画像データをメモリカードに格納していた。そして、デジタルカメラの内蔵メモリに格納した画像や、メモリカードに格納した画像データを、ＰＣ（パソコン）等を用いて表示やプリントを行ったり、あるいはその画像をＰＣおよびインターネットを介して相手側機器に送信していた。
【０００３】
ところで、この画像データを格納したメモリカードを、カメラ屋などのラボ店（データ入力サービス店）に持ち込み、陽画としてプリントして貰うことも可能である。
この場合は、例えば、顧客が朝の出勤途中に自宅近くのラボ店Ａへデータ（メモリカード等）を持ち込み、勤務先近くのラボ店Ｂでプリントを受け取ることも可能である。このシステムは、ラボ店Ａが受け取ったデータを、直ちにインターネット経由でラボ店Ｂに送信し、ラボ店Ｂが顧客の通勤時間の間にプリント処理を行い、ラボ店Ｂで顧客にプリントを渡すようにしたシステムである。
【０００４】
このようにすれば、顧客にとって朝の移動時間（通勤時間）を利用して、勤務先近くのラボ店Ｂでプリントを入手することができる。従って、従来の帰宅時に自宅近くのラボ店Ａでプリントを受け取る場合に比べれば、例えば１時間の通勤時間経過後にはプリントを受け取ることができるので、顧客の便宜性が大変向上する。
【０００５】
【発明が解決しようとする課題】
しかしながら、この従来システムでは、次の欠点がある。
▲１▼　顧客がデータ入力サービス店（ラボ店Ａ）で「受付料」を徴収され、更に出力店（ラボ店Ｂ）で「出力料」を徴収されてしまうので、顧客にしてみれば２回支払いを強いられることになり、便利性が低くなってしまう。
▲２▼　ラボ店の立場からみると、一方の店で顧客が支払いをするような方法をとる場合には、入力店と出力店のどちらか一方にしか収入が無いことになり、他方の店では「受付損」または「出力損」が発生してしまう。
【０００６】
本発明は、上記の事情にかんがみなされたもので、顧客は１箇所で支払いを済ませることができ、且つデジタルデータの入力店およびデジタルデータの出力店のどちらにも、メリット（対価）が得られるデジタルデータの出力課金システムの提供を目的とする。
【０００７】
【課題を解決するための手段】
上記目的を達成するため請求項１記載の発明は、顧客（図１の６０）が持参したデジタルデータ（メモリカード４０）を入力し、送信可能なデジタルデータ入力装置（第１のラボ店）と、
前記顧客が持参したデジタルデータを通信回線（３０）経由で受信し、該デジタルデータに対応した出力を行って前記顧客に引き渡すデジタルデータ出力装置（第２のラボ店２０）とを備えて成り、
前記顧客が持参したデジタルデータの入力から出力までの行為に伴って発生する、前記顧客の支払いに関する情報を、前記デジタルデータ入力装置とデジタルデータ出力装置とで共有する構成（共有情報記憶手段１５と共有情報記憶手段２５）としてある。
【０００８】
このようにすれば、例えば図１に示すように、顧客の支払に関する情報を共有情報記憶手段１５と共有情報記憶手段２５とに共有しているので、第１のラボ店１０と第２のラボ店２０とは支払情報をガラス張りで確認することができる。また、支払情報を第１のラボ店１０と第２のラボ店２０とがガラス張りで共有するので、顧客の支払場所を例えば第１のラボ店１０にしても、第２のラボ店２０が「受取損」となることはない。
なお、共有情報記憶手段１５と共有情報記憶手段２５とを、どちらか一方のラボ店（例えば、第１のラボ店１０）に配置し、他方のラボ店（この場合は第２のラボ店２０）から共有情報を入手可能にすることも可能である。
【０００９】
次に請求項２記載の発明は、請求項１記載のデジタルデータの出力課金システムにおいて、
前記デジタルデータ入力装置とデジタルデータ出力装置とが共有した顧客の支払いに関する情報に基づき、前記デジタルデータ入力装置とデジタルデータ出力装置との間で、支払金額の配分を決定する構成としてある。
【００１０】
このようにすれば、例えば図１において、顧客のデジタルデータを入力する第１のラボ店１０と、顧客にプリントを手渡す第２のラボ店２０の手間を比較すると、第２のラボ店２０の方がプリント作業や金銭の受取作業に伴う手間代・材料代等が掛かるので、支払金額に対する取得を第１のラボ店１０が２０％とし、第２のラボ店２０が８０％とすることができる。
【００１１】
次に請求項３記載の発明は、請求項２記載のデジタルデータの出力課金システムにおいて、
前記支払金額の配分の決定は、前記デジタルデータ入力装置（図３の第１のラボ店１０）の管理者およびデジタルデータ出力装置（第２のラボ店２０）の管理者以外の、第三の管理者（サプライヤー９０）が行う構成としてある。
【００１２】
この構成において、例えば図３に示したサプライヤー９０は、第１のラボ店１０と第２のラボ店２０との間における顧客６０の支払った金額に対する配分割合を決めておき、支払金額配分データベース手段９３に予め登録しておく。そして、実際に第１のラボ店１０と第２のラボ店２０との間で画像データ等の送信およびプリント処理が終わり、顧客が支払を済ませた場合には、サプライヤー９０は前記予め登録した配分金額（割合）を第１のラボ店１０と第２のラボ店２０に連絡する。
このようにすれば、サプライヤー９０と、該サプライヤー９０の管理下にある第１のラボ店１０と第２のラボ店２０との三者の支払金額に対する配分を、ガラス張りの下で実行することが可能となる。
【００１３】
【発明の実施の形態】
以下、本発明を図示の実施形態に基づいて説明する。
（１）　実施形態の説明
先ず、各実施形態のシステム構成を説明する。
（１−１）第１の実施形態
図１は、本実施形態のデジタルデータの出力課金システムのシステム構成図である。
図１に示すように、本実施形態のデジタルデータの出力課金システムは、第１のラボ店１０と第２のラボ店２０と通信回線３０とを備えてなる。
【００１４】
そして、顧客６０が、朝の出勤途中で画像データを格納したメモリカード４０を、自宅近くの第１のラボ店（入力区）１０に持ち込み、第１のラボ店１０から勤務先近くの第２のラボ店（出力区）２０にメモリカード４０の画像データを送信する。顧客６０は第２のラボ店２０で前記画像データのプリント５０を受け取り、「現金」による代金の支払いを行う。
【００１５】
第１のラボ店１０は、データ入力手段１１と、データ記憶手段１２と、データ出力手段１３と、印刷手段１４と、共有情報記憶手段１５と、データベース手段１６と、請求額演算手段１７とを備える。
データ入力手段１１は、顧客６０が持ち込んだメモリカード４０の画像データを入力する。
データ記憶手段１２は、データ入力手段１１から入力された前記画像データを一時的に記憶する。
【００１６】
データ出力手段１３は、データ記憶手段１２に記憶した画像データを、通信回線３０を介して第２のラボ店２０へ送信する。
印刷手段１４は、顧客６０から注文を受けた旨，プリントの渡し場所（この場合は第２のラボ店２０），渡し可能時刻等を記載した注文票を印刷する。
共有情報記憶手段１５は、顧客６０がメモリカードを第１のラボ店１０に預け、プリントを第２のラボ店２０から受け取るまでの、全ての金銭支払に関する情報を記憶しておく。
【００１７】
データベース手段１６は、メモリカード４０の受け付けから、プリント５０の顧客６０への手渡しまでに伴う各種データを記憶する。
請求額演算手段１７は、顧客６０のメモリカード４０の受け付けから、第２のラボ店２０で顧客６０へプリント５０を渡すまでの行為に伴って発生した請求額の内、第１のラボ店１０の取り分と、第２のラボ店２０の取り分とを割り振る演算を行う。
【００１８】
第２のラボ店２０は、データ入力手段２１と、データ保存手段２２と、プリントアウト手段２３と、データ出力手段２４と、共有情報記憶手段２５と、データベース手段２６を備える。
データ入力手段２１は、通信回線３０を介して送信されてきた前記画像データを入力する。
データ保存手段２２は、前記入力した画像データを保存する。
プリントアウト手段２３は、前記入力した画像データをプリントアウトし、陽画（プリント）５０を出力する。
【００１９】
データ出力手段２４は、顧客６０へのプリント５０の手渡し完了、料金の受領完了等の各種データを、通信回線３０を介して第１のラボ店１０へ送信する。
共有情報記憶手段２５は、前記共有情報記憶手段１５に記憶した顧客６０の金銭支払情報と全く同一の情報を記憶する。即ち、顧客６０がメモリカードを第１のラボ店１０に預け、プリントを第２のラボ店２０から受け取るまでの、全ての金銭支払情報を記憶しておく。
データベース手段２６は、メモリカード４０の受け付けから、プリント５０の顧客６０への手渡しまでに伴う画像データ，支払情報等の各種データを記憶する。通信回線３０は、電話回線，専用線，インターネット等である。
【００２０】
（１−２）第２の実施形態
図２は本実施形態のシステム構成図である。なお、既に説明済みの部分には同一符号を付し、重複説明を省略する。
本実施形態と前記第１の実施形態との相違点は、顧客が支払にクレジットカード（キャッシュカード）８０を使用し、それに伴い通信回線３０にクレジットカード会社の装置７０が追加された点、および第２のラボ店２０Ａにカード入力手段２７を追加した点である。
【００２１】
図２に示すように、クレジットカード会社（非入出力区）の装置７０は、データ入力手段７１と、データ出力手段７２と、金額確認・与信判定手段７３と、データベース手段７４とを備える。
データ入力手段７１は、クレジットカード８０の決済に伴う第２のラボ店（出力区）２０からのデータを入力する。
【００２２】
データ出力手段７２は、クレジットカード８０の決済に伴う第１のラボ店（入力区）１０および第２のラボ店２０へのデータを出力する。
金額確認・与信判定手段７３は、第２のラボ店２０から送信されたクレジットカード８０のデータに基づき、そのクレジットカード８０の残高が十分であるか否かの判定を行う。
データベース手段７４は、多数の顧客のクレジットカードに対応した個人名，残高等のデータを格納している。
【００２３】
（１−３）第３の実施形態
図３は本実施形態のシステム構成図である。なお、既に説明済みの部分には同一符号を付し、重複説明を省略する。
本実施形態と前記第２の実施形態との相違点は、プリント用紙，プリント装置等の消耗品を供給するサプライヤーの装置９０を追加した点である（後述）。
【００２４】
図３に示すように、サプライヤーの装置９０は、データ入力手段９１と、データ出力手段９２と、支払金額配分データベース手段９３とを備える。
データ入力手段９１は、第１のラボ店１０と第２のラボ店２０Ａとの間であったデジタルデータの受け付けから、プリントの手渡しまでの経過を示すデータを入力する。
【００２５】
データ出力手段９２は、第１のラボ店１０と第２のラボ店２０Ａとの間の支払金額の配分に関するデータを出力する。
支払金額配分データベース手段９３は、第１のラボ店（入力区）１０と第２のラボ店（出力区）２０Ａとサプライヤー９０との、支払金額の配分に関するデータを格納している。
【００２６】
（２）　各請求項の説明
次に、フローチャートを参照しつつ、各請求項を説明する。
（２−１）請求項１および請求項２の説明
請求項１および請求項２の動作説明を、図４の場合（現金による支払）と、図５，図６（現金による支払）と、図７，図８（クレジットカードによる支払）に分けて説明する。
図４と、図５，図６と、図７，図８とは、それぞれ請求項１，請求項２の動作を説明するフローチャートである。
【００２７】
（２−１−１）図４の場合（現金による支払）
請求項１および請求項２の動作説明を、図１，図４を参照しつつ説明する。
請求項１および請求項２は、顧客６０の金銭支払い情報を、通信回線３０を介して接続された第１のラボ店（入力区）１０と第２のラボ店（出力区）２０とが、ガラス張り状態で相互に「共有」する場合である。
【００２８】
図１，図４に示すように、顧客６０は朝の出勤途中、自宅近くの第１のラボ店（入力区）１０に画像データの格納されたメモリカード４０を持参すると（ステップＳ１）、入力区１０の担当者は画像データの入力をデータ入力手段１１に対して行い、データ記憶手段１２に記憶させる（ステップＳ２）。入力区１０の担当者は図示省略のディスプレイに画像データの内容を表示し、顧客６０に見せて確認して貰う（ステップＳ３）。
【００２９】
顧客６０が納得すれば担当者にプリントアウト（データ出力）を依頼し（ステップＳ４）、プリントアウトする依頼内容を決定する（ステップＳ５）。この依頼内容としては、プリントアウトする画像はどれか，各画像のプリント枚数，プリントを受け取る予定時刻等である。
担当者は、顧客６０の依頼内容を確認し（ステップＳ６）、図示省略のキーボード等から依頼内容を入力し、印刷手段１４から注文票を出力する（ステップＳ７）。
【００３０】
そして、顧客６０へ注文票を手渡した後（ステップＳ８）、データ記憶手段１２に記憶してある顧客６０の画像データ等を第２のラボ店（出力区）２０へ送信する（ステップＳ９）。このステップＳ９における送信データの内容としては、プリントする画像データ，前記依頼内容，注文票の内容データ等である。
出力区２０では、画像データ等を受信し（ステップＳ１０）、その受信データを確認し（ステップＳ１１）、データ受信の受領証を作成して入力区１０へ発行すると（ステップＳ１２）、入力区１０では受領証を確認する（ステップＳ１３）。
【００３１】
次いで、出力区２０では画像データを開いて画像内容が不合格（例えば、プリント枚数が不明）であれば（ステップＳ１４：ＮＧ）、入力区１０にデータの再送を依頼する（ステップＳ１５）。
ステップＳ１４において受信データの内容が合格であれば（ステップＳ１４：ＯＫ）、出力区２０では受信データを検収し（ステップＳ１６）、検収した旨を入力区１０へ送信する。入力区１０では出力区２０が検収した旨を確認し（ステップＳ１７）、データ記憶手段１２に記憶させていた顧客６０の画像データ等を消去する（ステップＳ１８）。
出力区２０では受信データの検収後（ステップＳ１６）、受信した画像データをプリントアウト手段２３によりプリントしておく（ステップＳ１９）。
【００３２】
一方、ステップＳ８で注文票を受け取った顧客６０は、出勤途中に勤務先近くの出力区２０へ行き注文票を提出する（ステップＳ２０）。出力区２０の担当者は注文票を受け付け（ステップＳ２１）、出力してあるプリントの中から注文票に対応したプリントを検索し（ステップＳ２２）、顧客６０に手渡す。
【００３３】
顧客６０はプリントを確認し（ステップＳ２３）、納得すればプリントを受け取る旨を担当者に告げる（ステップＳ２４）。
出力区２０の担当者は、共有情報記憶手段２５に記憶されている支払情報（プリント枚数，プリント用紙の大きさ，プリント用紙の品質等）に基づいて請求額を算出し（ステップＳ２５）、顧客６０に支払い方法（現金，キャッシュカード等）を確認する（ステップＳ２６）。
【００３４】
顧客６０は、支払い方法の中から「現金」を選択して支払う（ステップＳ２７）。出力区２０の担当者は「現金」を受け取って決済を確認後（ステップＳ２８）、プリント５０を顧客６０に手渡すと（ステップＳ２９）、顧客６０はプリント５０を受け取る（ステップＳ３０）。
担当者は、支払い金額，時期，方法についての情報を入力区１０へ送信すると（ステップＳ３１）、入力区１０では前記情報を受信し（ステップＳ３２）、データベースへ顧客名，画像データ，支払い金額，時期，方法についての情報を登録する（ステップＳ３３）。
【００３５】
この場合、各ラボ点における作業量・材料費に応じた金額割合が予め定められており、これに応じて、支払われた金額を各ラボ点で配分するものとする。例えば、支払金額の内、作業量等の少ない第１のラボ店１０が２０％を取得し、作業量等の多い第２のラボ店２０が８０％を取得することができるように配分決定しておくものとする。
【００３６】
（２−１−２）図５，図６の場合（現金による支払）
顧客が「現金」により支払う場合である。
図１および図５，図６に基づいて請求項１および請求項２を説明する。
図５，図６において、ステップＳ４１〜ステップＳ７２は、図４におけるステップＳ１〜ステップＳ３２までと同一処理であるので、重複説明を省略する。
【００３７】
ステップＳ７２で入力区１０が顧客支払金額，方法等の情報を受信後、入力区１０では出力区２０への請求額・支払期限を演算する（ステップＳ７３）。
この場合、前記図５の場合と同様に、各ラボ点における作業量・材料費に応じた金額割合が予め定められており、これに応じて、支払われた金額を各ラボ点で配分するものとする。
【００３８】
演算後、請求書を作成しその請求書データを出力区２０へ送信すると（ステップＳ７４）、出力区２０で受信する（ステップＳ７５）。出力区２０では請求書の内容を確認しＯＫであれば（ステップＳ７６：ＯＫ）、請求書を受領し内容を確認した旨のデータを入力区１０へ送信する（ステップＳ７７）。入力区１０では請求書受領データを受信し（ステップＳ７８）、データベース１６へ情報登録し、一連の処理が完了する。
【００３９】
前記ステップＳ７６で請求書内容が不合格（例えば、出力区２０の配分が少ない）であれば（ステップＳ７６：ＮＧ）、ステップＳ７３に戻る。この不合格の場合でも、図１の共有情報記憶手段１５，２５に記憶された支払に関する情報がガラス張りの「共有」であるので、第１のラボ店１０と第２のラボ店２０とは、相互に相手の主張を納得することができる。
【００４０】
（２−１−３）図７，図８の場合（クレジットカードによる支払）
顧客が「クレジットカード」により支払う場合である。
図１および図７，図８に基づいて請求項１および請求項２を説明する。
図７，図８において、ステップＳ８１〜ステップＳ１０８は、図４におけるステップＳ１〜ステップＳ２８までと同一処理であるので、重複説明を省略する。
【００４１】
ステップＳ１０８で出力区２０が決済方法を確認後、クレジットカードで決済したのであれば（ステップＳ１０９：Ｙｅｓ）、出力区２０はクレジットカード会社等の非入出力区７０に対し、金額確認および与信がＯＫであるかを問い合わせる（ステップＳ１１０）。そして、金額確認および与信がＯＫでなければ（ステップＳ１１０：Ｎｏ）、非入出力区７０は出力区２０に対して連絡を取り、出力区２０において再度支払方法の確認をして貰う（ステップＳ１０６）。
【００４２】
金額確認および与信がＯＫであれば（ステップＳ１１０：ＯＫ）、非入出力区７０は承認した旨のデータを出力区２０に送付し（ステップＳ１１１）、出力区２０の担当者はその承認データを受信して内容を確認後（ステップＳ１１２）、顧客６０にプリントを手渡す（ステップＳ１１３）。顧客６０はそのプリントを受け取り、顧客６０のデータ持参（ステップＳ８１）から、クレジットカードにより決済を行い、プリント受取までの一連の処理は終了する（ステップＳ１１４）。
【００４３】
なお、ステップＳ１０９でクレジットカードによる決済でない場合は（ステップＳ１０９：Ｎｏ）、「現金による決済」であり（ステップＳ１１５）、前記図４におけるステップＳ２７〜ステップＳ３３までの処理と同一なので、重複説明を省略する。
【００４４】
非入出力区７０は、前記ステップＳ１１１において承認データを送付と同時に、顧客支払金額・時期・方法の情報を、出力区２０と入力区１０に送信する（ステップＳ１１６）。入力区１０では顧客支払金額・時期・方法の情報を受信し（ステップＳ１１８）、データベースへ情報登録する（ステップＳ１１９）。
【００４５】
出力区２０では顧客支払金額・時期・方法の情報を受信し（ステップＳ１１７）、その顧客支払金額・時期・方法の情報を入力区１０へ送信し（ステップＳ１２０）、入力区１０ではその顧客支払金額・時期・方法の情報を受信する（ステップＳ１２１）。入力区１０では顧客支払金額・時期・方法の情報に基づき請求額演算手段１７により出力区２０への請求額および支払期限を演算して請求書データを作成し（ステップＳ１２２）、請求書データを出力区２０へ送信する（ステップＳ１２３）。
【００４６】
出力区２０では請求書データを受信し（ステップＳ１２４）、請求書内容がＯＫであれば（ステップＳ１２５：Ｙｅｓ）、入力区１０へ請求書受領の旨の確認データを送信し（ステップＳ１２６）、データベース手段２６に情報登録する（ステップＳ１２７）。このステップＳ１２７の情報登録により、出力区２０においてはステップＳ９０からステップＳ１２７までの一連の処理を完了する。
【００４７】
入力区１０は前記請求書受領確認データを受信して（ステップＳ１２８）、データベース手段１６に情報登録する（ステップＳ１１９）。このステップＳ１１９の情報登録により、入力区１０においてはステップＳ８２からステップＳ１１８までの一連の処理を完了する。
【００４８】
（２−２）請求項３の説明
請求項３は、支払金額の配分の決定は、第１のラボ店１０の管理者および第２のラボ店２０の管理者以外の、第三の管理者が行う場合である。
例えばカメラ業界では、サプライヤーのラボ店に対する影響力が大きく、チェーン店形式で経営のノウハウ，プリント用紙等の資材の供給，資本参加等を行っている場合がある。請求項３はかかる場合に好適な発明である。
【００４９】
図９，図１０に基づいて請求項３を説明する。
図９，図１０において、ステップＳ１３１〜ステップＳ１６０は、図７，図８におけるステップＳ８１〜ステップＳ１６０までと同一処理であるので、重複説明を省略する。
【００５０】
ステップＳ１５８で出力区２０が決済方法を確認後、クレジットカードで決済したのであれば（ステップＳ１５９：Ｙｅｓ）、出力区２０はクレジットカード会社等の第１の非入出力区７０に対し、金額確認および与信がＯＫであるかを問い合わせる（ステップＳ１６０）。そして、金額確認および与信がＯＫでなければ（ステップＳ１６０：Ｎｏ）、第１の非入出力区７０は出力区２０に対して連絡を取り、出力区２０において再度支払方法の確認をして貰う（ステップＳ１５６）。
【００５１】
金額確認および与信がＯＫであれば（ステップＳ１６０：ＯＫ）、第１の非入出力区７０は承認した旨のデータを出力区２０に送付し（ステップＳ１６１）、出力区２０の担当者はその承認データを受信して内容を確認後（ステップＳ１６２）、顧客６０にプリントを手渡す（ステップＳ１６３）。顧客６０はそのプリントを受け取り、顧客６０のデータ持参（ステップＳ１３１）から、クレジットカードにより決済を行い、プリント受取までの一連の処理は終了する（ステップＳ１６４）。
【００５２】
なお、ステップＳ１５９でクレジットカードによる決済でない場合は（ステップＳ１５９：Ｎｏ）、「現金による決済」であり（ステップＳ１５９ａ）、前記図４におけるステップＳ２７〜ステップＳ３３までの処理と同一なので、重複説明を省略する。
【００５３】
第１の非入出力区７０は、前記ステップＳ１６１において承認データを、前述の出力区２０とともに、第２の非入出力区９０に送信する（ステップＳ１６１）。前記承認データを受けた第２の非入出力区９０は（ステップＳ１６５）、入力区１０と出力区２０との支払金額に対する配分金額を決定し（ステップＳ１６６）、入力区１０と出力区２０とに配分金額データを送信する（ステップＳ１６７）。
【００５４】
配分金額の割合は、例えば第２の非入出力区（サプライヤー）９０が３０％、入力区（第１のラボ店）１０が２０％、出力区（第２のラボ店）２０が５０％とする。また、ラボ店への出資元が複数の場合（例えば、カメラメーカー，プリント用紙メーカー，商事会社等）の場合には、入力区１０と出力区２０のラボ店を含めて、５者の間で配分金額を割り振ることもできる。
【００５５】
前記ステップＳ１６７の配分金額データの送信を、入力区１０が受信し（ステップＳ１６８）、データベース手段１６へ情報登録する（ステップＳ１６９）。また、ステップＳ１６７では配分金額データを受信し（ステップＳ１７０）、その配分金額データを入力区１０へ送信する（ステップＳ１７２）。
入力区１０では配分金額データに基づき請求額演算手段１７により出力区２０への請求額および支払期限を演算して請求書データを作成し（ステップＳ１７３）、請求書データを出力区２０へ送信する（ステップＳ１７４）。
【００５６】
出力区２０では請求書データを受信し（ステップＳ１７５）、請求書内容がＯＫであれば（ステップＳ１７６：Ｙｅｓ）、入力区１０へ請求書受領の旨の確認データを送信し（ステップＳ１７７）、出力区２０のデータベース手段２６に情報登録する（ステップＳ１７９）。このステップＳ１７９の情報登録により、出力区２０においてはステップＳ１４０からステップＳ１７９までの一連の処理を完了する。
【００５７】
入力区１０は前記配分金額データを受信して（ステップＳ１６８）、データベース手段１６に情報登録する（ステップＳ１６９）。このステップＳ１６９の情報登録により、入力区１０においてはステップＳ１３２からステップＳ１６９およびステップＳ１７８までの一連の処理を完了する。
【００５８】
なお、前記実施形態では、デジタルデータとしてデジタルカメラの画像データの場合を説明したが、デジタルデータとしては、例えばカセットテープに記録したアナログデータを入力区に持参し、入力区でデジタルデータに変換し、変換後のデジタルデータをＤＶＤ（Ｄｉｇｉｔａｌ　Ｖｅｒｓａｔｉｌｅ　Ｄｉｓｋ）として出力区で受け取る場合にも本発明を適用可能である。
また、入力区に持参した複数枚のＣＤ（コンパクトディスク）のデジタルデータを、出力区で一枚のＤＶＤに記録して出力区で受け取る場合にも、本発明を適用可能であるのは勿論である。
【００５９】
【発明の効果】
以上説明したように本発明によれば、以下の効果を発揮することができる。
請求項１記載の発明によれば、デジタルデータの入力から出力までにおける顧客の支払に関する情報を、共有情報記憶手段に共有しているので、デジタルデータ入力装置（第１のラボ店）とデジタルデータ出力装置（第２のラボ店）とは、支払情報をガラス張りで確認することができる。また、支払情報がガラス張りなので、顧客の支払場所を一箇所にしても、デジタルデータ入力装置の管理者とデジタルデータ出力装置の管理者との間で、受取金額の多寡についてトラブルが生じることが無い。
【００６０】
請求項２記載の発明によれば、顧客のデジタルデータを入力するデジタルデータ入力装置（第１のラボ店）と、顧客にプリントを手渡すデジタルデータ出力装置（第２のラボ店）の手間を比較すると、第２のラボ店の方がプリント作業や金銭の受取作業に伴う手間代・材料代等が掛かるので、支払金額に対する取得を第１のラボ店が２０％とし、第２のラボ店が８０％とすることができる。
【００６１】
請求項３記載の発明によれば、第三者であるサプライヤーは、該サプライヤーの管理下にあるデジタルデータ入力装置（第１のラボ店）とデジタルデータ出力装置（第２のラボ店）との三者の支払金額に対する配分を、ガラス張りの下で実行することが可能となる。
【図面の簡単な説明】
【図１】本発明の第１の実施形態のシステム構成図である。
【図２】本発明の第２の実施形態のシステム構成図である。
【図３】本発明の第３の実施形態のシステム構成図である。
【図４】本発明の請求項１および請求項２を説明するフローチャートである。
【図５】本発明の請求項１および請求項２を説明する別のフローチャートである。
【図６】図５に示したフローチャートの続きのフローチャートである。
【図７】本発明の請求項１および請求項２を説明する更に別のフローチャートである。
【図８】図７に示したフローチャートの続きのフローチャートである。
【図９】本発明の請求項３を説明するフローチャートである。
【図１０】図７に示したフローチャートの続きのフローチャートである。
【符号の説明】
１０　第１のラボ店
１１　データ入力手段
１２　データ記憶手段
１３　データ出力手段
１４　印刷手段
１５　共有情報記憶手段
１６　データベース手段
１７　請求額演算手段
２０　第２のラボ店
２０Ａ　別の第２のラボ店
２１　データ入力手段
２２　データ保存手段
２３　プリントアウト手段
２４　データ出力手段
２５　共有情報記憶手段
２６　データベース手段
２７　カード入力手段
３０　通信回線
４０　メモリカード
５０　プリント
６０　顧客
７０　クレジットカード会社
７１　データ入力手段
７２　データ出力手段
７３　金額確認・与信判定手段
７４　データベース手段
８０　クレジットカード
９０　サプライヤー
９１　データ入力手段
９２　データ出力手段
９３　支払金額配分データベース手段
【図１】
2004110642.tif 000003
【図２】
2004110642.tif 000004
【図３】
2004110642.tif 000005
【図４】
2004110642.tif 000006
【図５】
2004110642.tif 000007
【図６】
2004110642.tif 000008
【図７】
2004110642.tif 000009
【図８】
2004110642.tif 000010
【図９】
2004110642.tif 000011
【図１０】
2004110642.tif 000012